(57)【要約】      （修正有）【課題】構成を簡単にすることで、製造コストを削減すると共に、組立てにかかる時間および手間を低減できる携帯端末用スタンドを提供する。【解決手段】前面板２１と、左右側面板１９，２５と、前面板２１よりも高く構成された後面板１５とを備えた四角以上の偶数角柱形状の本体１２からなり、左右側面板１９，２５の上縁は、前面板２１との境界線に位置する部分に設けられた縦折り線の上端より水平方向に延在または下方に傾斜する下側支持縁３１，３１と、下側支持縁３１，３１の後面板側端部より後面板１５の上縁まで上方に傾斜する後側支持縁３２，３２とからなる。【選択図】図１
2013240020.tif 000002
【特許請求の範囲】
【請求項１】
前面板と、左右側面板と、前記前面板よりも高く構成された後面板とを備えた四角以上の偶数角柱形状の本体からなり、
前記左右側面板の上縁は、前記前面板との境界線に位置する部分に設けられた縦折り線の上端より水平方向に延在または下方に傾斜する下側支持縁と、前記下側支持縁の後面板側端部より前記後面板の上縁まで上方に傾斜する後側支持縁とからなることを特徴とする携帯端末用スタンド。
【請求項２】
前記本体は、六角柱形状をなすことを特徴とする請求項１に記載の携帯端末用スタンド。
【請求項３】
前記前面板の上縁に、突出部が形成されていることを特徴とする請求項１又は２に記載の携帯端末用スタンド。
【請求項４】
前記左右側面板の下側支持縁に支持用フラップが連設され、前記左右側面板と前記支持用フラップとの境界線に位置する部分に、折り線が設けられていることを特徴とする請求項１から３のいずれかに記載の携帯端末用スタンド。
【発明の詳細な説明】
【技術分野】
【０００１】
本発明は、例えば、雑誌の付録や商品販促用のＰＯＰなど種々の用途に利用可能な、組み立てて使用する携帯端末用スタンドに関する。
【背景技術】
【０００２】
従来、紙製の携帯端末用スタンドとして、例えば特許文献１には、底面部と、窓孔を有する後倒正面板と、後倒正面板を支持する背板と、正面板の側面を覆う左右両側板とを備えた全ての部位が１枚の段ボールから作成された携帯端末用スタンドが記載されている。
【０００３】
特許文献２には、１枚の段ボールまたは紙の両端を底面にほぼ垂直に折り曲げて２列のスタンドを形成し、このスタンドに形成した切り込みに携帯端末を嵌め込むことで立て掛ける携帯端末用スタンドが記載されている。
【先行技術文献】
【特許文献】
【０００４】
【特許文献１】実用新案登録第３０９７１３１号公報
【特許文献２】実用新案登録第３１７０００６号公報
【０００５】
しかし、上記いずれの文献に記載の携帯端末用スタンドも、構成が複雑で製造コストが増大し、また、組立てに時間および手間がかかるという問題があった。
【発明の概要】
【発明が解決しようとする課題】
【０００６】
本発明は、前記従来の問題点に鑑みてなされたもので、構成を簡単にすることで、製造コストを削減すると共に、組立てにかかる時間および手間を低減できる携帯端末用スタンドを提供することを課題とする。
【課題を解決するための手段】
【０００７】
前記課題を解決するため、本発明に係る携帯端末用スタンドは、
前面板と、左右側面板と、前記前面板よりも高く構成された後面板とを備えた四角以上の偶数角柱形状の本体からなり、
前記左右側面板の上縁は、前記前面板との境界線に位置する部分に設けられた縦折り線の上端より水平方向に延在または下方に傾斜する下側支持縁と、前記下側支持縁の後面板側端部より前記後面板の上縁まで上方に傾斜する後側支持縁とからなるものである。
【０００８】
偶数角柱形状の本体が左右側面板を有し、この左右側面板の上縁に下側支持縁と後側支持縁とを設けたので、携帯端末用スタンドの構成を簡単にし、製造コストを削減すると共に、組立てにかかる時間および手間を低減できる。
【０００９】
前記本体は、六角柱形状をなしてもよい。
これにより、携帯端末を安定的に保持しつつ、構成を簡単にできる。
【００１０】
前記前面板の上縁に、突出部が形成されていることが好ましい。
これにより、例えば振動などで、携帯端末が後方に倒れそうになっても、突出部が携帯端末の下側部分と当接して携帯端末の横置き姿勢を維持する。
【００１１】
前記左右側面板の下側支持縁に支持用フラップが連設され、前記左右側面板と前記支持用フラップとの境界線に位置する部分に、折り線が設けられていることが好ましい。
これにより、折り線に沿って支持用フラップを内方に折り曲げることができる。
【発明の効果】
【００１２】
本発明によれば、偶数角柱形状の本体が左右側面板を有し、この左右側面板の上縁に下側支持縁と後側支持縁とを設けたので、携帯端末用スタンドの構成を簡単にし、製造コストを削減すると共に、組立てにかかる時間および手間を低減できる。
【図面の簡単な説明】
【００１３】
【図１】本発明の実施形態に係る携帯端末用スタンドの斜視図。
【図２】図１の携帯端末用スタンドの平面図。
【図３】図１の携帯端末用スタンドの展開図。
【図４】図１の携帯端末用スタンドの右側面図。
【図５】図１の携帯端末用スタンドに携帯端末を立て掛けた状態を示す斜視図。
【図６】図５の右側面図。
【図７】縦折り線に沿って折り畳んだ携帯端末用スタンドの正面図。
【図８】パンフレットから一体に設けられた携帯端末用スタンドを切り離す状態を示す斜視図。
【図９】携帯端末用スタンドをホットドリンクを収容するカップの熱除けカップホルダとして使用する状態を示す斜視図。
【図１０】図７の携帯端末用スタンドを冊子に挟み込んでいる状態を示す斜視図。
【図１１】図７の携帯端末用スタンドの内側にティッシュペーパを挟み込んだ状態を示す斜視図。
【図１２】携帯端末用スタンドをパンフレットをとめるクリップとして使用する状態を示す斜視図。
【発明を実施するための形態】
【００１４】
次に、添付図面を参照して本発明に係る携帯端末用スタンド１１を詳細に説明する。
【００１５】
図１および図２に示すように、携帯端末用スタンド１１は、六角柱状の本体１２からなる。これにより、携帯端末１３（図５参照）を安定的に保持しつつ、構成を簡単にし容易に組み立てることができる。なお、本実施形態では本体１２は剛性のある板紙から形成されているが、これに限定されず、厚紙、段ボール、プラスチック、厚いフィルム、または樹脂シートから形成されてもよい。
【００１６】
本体１２には、図３に示すように、右側から左側にかけて、後面板１５、後側左側面板１７と前側左側面板１８とからなる左側面板１９、前面板２１、前側右側面板２３と後側右側面板２４とからなる右側面板２５、接着フラップ２７の順で連設されている。前面板２１と前側左側面板１８との境界線に位置する部分には、縦折り線Ｌ１が設けられている。前面板２１と前側右側面板２３との境界線に位置する部分には、縦折り線Ｌ１’が設けられている。前側左側面板１８と後側左側面板１７との境界線に位置する部分には、縦折り線Ｌ２が設けられている。前側右側面板２３と後側右側面板２４との境界線に位置する部分には、縦折り線Ｌ２’が設けられている。後側左側面板１７と背面板１５との境界線に位置する部分には、縦折り線Ｌ３が設けられている。後側右側面板２４と接着フラップ２７との境界線に位置する部分には、縦折り線Ｌ３’が設けられている。
【００１７】
前面板２１は、矩形状に構成され、本体１２の略中央に設けられている。前面板２１の上縁には、突出部２２が形成されている。前面板２１の右側縁には、左側面板１９の前側左側面板１８が連設され、前側左側面板１８の右側縁には、左側面板１９の後側左側面板１７が連設されている。また、前面板２１の左側縁には、右側面板２５の前側右側面板２３が連設され、前側右側面板２３の左側縁には、右側面板２５の後側右側面板２４が連設されている。
【００１８】
左側面板１９の上縁は、縦折り線Ｌ１の上端から前側左側面板１８の上縁の中央付近まで下方に向かって傾斜する下側支持縁３１と、下側支持縁３１の後面板側端部から縦折り線Ｌ３の上端までＳ字状に湾曲しながら上方に向かって傾斜する後側支持縁３２とからなる。下側支持縁３１には、突出部２２と隣接する矩形状の支持用フラップ３５が連設されている。前側左側面板１８と支持用フラップ３５との境界線に位置する部分には、縦折り線Ｌ１の上端と交差する傾斜折り線Ｌｔが設けられている。
【００１９】
右側面板２５の上縁は、縦折り線Ｌ１’の上端から前側右側面板２３の上縁の中央付近まで下方に向かって傾斜する下側支持縁３１と、下側支持縁３１の接着フラップ側端部から縦折り線Ｌ３’の上端までＳ字状に湾曲しながら上方に向かって傾斜する後側支持縁３２とからなる。下側支持縁３１には、突出部２２と隣接する矩形状の支持用フラップ３５が連設されている。前側右側面板２３と支持用フラップ３５との境界線に位置する部分には、縦折り線Ｌ１’の上端と交差する傾斜折り線Ｌｔが設けられている。以上のように、偶数角柱形状の本体１２が左右側面板１９，２５を有し、この左右側面板１９，２５の上縁に下側支持縁３１，３１と後側支持縁３２，３２とを設けたので、携帯端末用スタンド１１の構成を簡単にし、製造コストを削減すると共に、組立てにかかる時間および手間を低減できる。
【００２０】
後側左側面板１７の右側縁には、矩形状の後面板１５が連設されている。後面板１５は、携帯端末を後方に傾斜させた姿勢で支持できるように前面板２１よりも高く構成されている（図４参照）。後側右側面板２４の左側縁には、台形状の接着フラップ２７が連設されている。この接着フラップ２７には、組み立てる際に後面板１５に接着する糊などの接着剤が塗布される。また、この接着剤に剥離シートを貼着し、必要に応じて剥離シートを剥がす構成を採用してもよい。
【００２１】
上記構成の携帯端末用スタンド１１を組み立てるには、前面板２１と、前側左側面板１８と、後側左側面板１７と、前側右側面板２３と、後側右側面板２４と、後面板１５と、接着フラップ２７とをそれぞれ、縦折り線Ｌ１，Ｌ１’，Ｌ２，Ｌ２’，Ｌ３，Ｌ３’に沿って折り曲げる。このとき、接着フラップ２７を後面板１５の内側に配置し、接着剤で接着フラップ２７を後面板１５の内側に接着する。そして、支持用フラップ３５，３５を傾斜折り線Ｌｔ，Ｌｔに沿って内方に折り曲げることで、図１に示す携帯端末用スタンド１１が得られる。
【００２２】
前述のように組み立てた携帯端末用スタンド１１を携帯端末１３に使用する場合、図５および図６に示すように、携帯端末１３の画面を横向きにした状態にしてから、その下側部分を支持用フラップ３５，３５に当接させると共に後側部分を後側支持縁３２に当接させて、携帯端末１３を本体１２に立て掛ける。このように立て掛けることで、携帯端末用スタンド１１は、左右側面板１９，２５と支持用フラップ３５，３５とで携帯端末１３を支持し、携帯端末１３を後方に傾斜させて横置き姿勢の状態で保持する。これにより、外出先でのワンセグ視聴や動画視聴に利用される。
【００２３】
本実施形態では、突出部２２が前面板２１の上縁に形成されているので、振動などで携帯端末１３が後方に倒れそうになっても、突出部２２が携帯端末１３の下側部分と当接して携帯端末１３の横置き姿勢を維持する。
【００２４】
本実施形態に係る携帯端末用スタンド１１は折り畳み可能な構成であるため、利用者は、これを鞄の中に入れて外出先に持ち出すことができる。外出先でワンセグ視聴や動画視聴を行う場合に本実施形態に係る携帯端末用スタンド１１を使用すれば、携帯端末１３を手で持つ必要がなく、店や新幹線のテーブルなどに携帯端末１３を設置することが可能となり、快適な視聴を楽しむことができる。なお、図７に示す折り畳み状態の携帯端末用スタンド１１を外出先などで使用する場合、まず、縦折り線Ｌ２，Ｌ２’の中央付近に指をそえ、内側方向に押して本体１２を六角形状にする。次に、支持用フラップ３５，３５を内側に折れ曲げれば、携帯端末１３をテーブルなどに設置することが可能となる。
【００２５】
なお、本実施形態では、本体１２を六角柱形状としているが、四角以上の偶数角柱形状であれば携帯端末１３を後方に傾斜させた横置き姿勢で支持できるため、このような構成に限定されるものではなく、四角柱形状、八角柱形状としてもよい。
【００２６】
また、本実施形態では、支持用フラップ３５，３５を設けた構成しているが、かかる支持用フラップ３５，３５を設けずに、下側支持縁３１，３１に携帯端末１３の下側部分を当接させて、左右側面板１９，２５で携帯端末１３を支持するように構成してもよい。
【００２７】
上記で説明した携帯端末用スタンド１１に使用されるブランクは、打ち抜き装置で打ち抜いた構成であるが、その他に、図８に示す宣伝広告用のパンフレット４１などの付録物としてページの一部をミシン目４２で切り離して得られる構成も考えられる。
【００２８】
本実施形態に係る携帯端末用スタンド１１の使用方法は、携帯端末１３に使用されることに限定されず、例えば、図９に示すように、携帯端末用スタンド１１の底部側開口部よりホットドリンク収容のカップ４３を下側部分から差し込んで、把持部分を保護する熱除けカップホルダとして使用してもよい。本実施形態に係る携帯端末用スタンド１１を配布する方法としては、図１０に示すように、折り畳み状態の携帯端末用スタンド１１を冊子４４に挟み込んで配布する方法や、図１１および図１２に示すように、ポケットティッシュ４５や筒状に巻いたパンフレット４７の周囲に携帯端末用スタンド１１を装着させた状態で配布する方法が考えられる。
【符号の説明】
【００２９】
１１  携帯端末用スタンド
１２  本体
１３  携帯端末
１５  後面板
１９  左側面板
２１  前面板
２２  突出部
２５  右側面板
３１  下側支持縁
３２  後側支持縁
３５  支持用フラップ
Ｌ１，Ｌ１’  縦折り線
Ｌｔ  傾斜折り線
【図１】
2013240020.tif 000003
【図２】
2013240020.tif 000004
【図３】
2013240020.tif 000005
【図４】
2013240020.tif 000006
【図５】
2013240020.tif 000007
【図６】
2013240020.tif 000008
【図７】
2013240020.tif 000009
【図８】
2013240020.tif 000010
【図９】
2013240020.tif 000011
【図１０】
2013240020.tif 000012
【図１１】
2013240020.tif 000013
【図１２】
2013240020.tif 000014